(57)【要約】【課題】音声出力の再開時に意図しない大音量で音声が出力される事態を回避し得るテレビを提供する。【解決手段】ミュート解除処理時（音声出力の再開時）においてミュート音量から出力音量を上昇させる（消音状態を解除する：ステップ５４，６２）制御部を備え、制御部は、ミュート状態に移行する直前の第１の音量が予め設定された第２の音量以上のときに（ステップ６０）、ミュート解除処理時において、第１の音量よりも低音量であって予め設定された第３の音量まで出力音量を上昇させる（ステップ６１，６２）。【選択図】図３
2007259037.tif 000002
【特許請求の範囲】
【請求項１】
ミュート解除処理時においてミュート音量から出力音量を上昇させる制御部を備え、
前記制御部は、ミュート状態に移行する直前の第１の音量が予め設定された第２の音量
以上のときに、前記ミュート解除処理時において、当該第１の音量よりも低音量であって
予め設定された第３の音量まで前記出力音量を上昇させるテレビ。
【請求項２】
前記第３の音量は、記第２の音量よりも低音量に設定されている請求項１記載のテレビ
。
【請求項３】
前記制御部は、前記ミュート解除処理時において、前記出力音量を前記第３の音量まで
上昇させた後に、当該出力音量を前記第１の音量まで徐々に上昇させる請求項１または２
記載のテレビ。
【請求項４】
前記制御部は、前記出力音量を上昇または低下させる旨の遠隔操作装置からの信号を受
信したときに、前記ミュート解除処理時において、前記第３の音量を経由させずに前記出
力音量を前記第１の音量まで上昇させる請求項１から３いずれかに記載のテレビ。
【発明の詳細な説明】
【技術分野】
【０００１】
本発明は、音声ミュート機能を有するテレビに関するものである。
【背景技術】
【０００２】
この種のテレビとして、音声ミュート処理を実行する音量制御装置が搭載されたテレビ
が特開平５−１２２０９７号公報に開示されている。このテレビでは、音声ミュートキー
の操作に伴って操作部（操作卓）からキー入力信号が出力されたときに、制御部（マイコ
ン）が音声ミュート回路を制御することによって音声増幅回路からの音声信号の出力を停
止させる（ミュートさせる）。この状態において、例えば音量アップキーが操作されたと
きには、制御部は、操作部からのキー入力信号に従って音声ミュート回路を制御すること
により、音声増幅回路からの音声信号の出力を再開させる（ミュートを解除させる）。一
方、音量ダウンキーが操作されたときには、制御部は、まず、音量ダウンキーが押圧操作
され続けている時間に応じて、音声出力再開時における出力音量の設定値を低下させ、音
量ダウンキーの押圧操作が解除された時点において、音声ミュート回路を制御して上記の
設定値で音声が出力されるように音声増幅回路からの音声信号の出力を再開させる。
【特許文献１】特開平５−１２２０９７号公報（第２−３頁）
【発明の開示】
【発明が解決しようとする課題】
【０００３】
ところが、従来のテレビには、以下の問題点がある。すなわち、従来のテレビでは、音
声の出力を停止している状態において音量ダウンキーが操作されたときに、制御部が、音
声ミュートキーの操作時点における音量まで直ちに出力音量を上昇させずに、音量ダウン
キーが押圧操作され続けている時間に応じて音声出力再開時における出力音量の設定値を
低下させた後に音声の出力を再開させる構成が採用されている。これにより、会話の妨げ
となるような大音量で音声の出力が再開される事態を回避することが可能となっている。
しかしながら、従来のテレビでは、音声信号の出力を停止している状態において、上記の
操作方法を知らない者が出力音量を上昇させようとして音量アップキーを操作したときに
は、音声ミュートキーの操作時点における大音量で音声の出力が再開される。この場合、
テレビの本体部に配設されている音量アップキーを操作したときには、リモコンの音量ア
ップキーを操作したときよりも本体部のスピーカに近い分だけ一層大音量で音声の出力が
再開されたように感じられて不快な思いをすることとなる。このように、従来のテレビに
は、操作に不慣れな者のキー操作によって音声出力を再開させるときに、意図しない大音
量で音声が出力されるという問題点がある。
【０００４】
本発明は、かかる問題点に鑑みてなされたものであり、音声出力の再開時に意図しない
大音量で音声が出力される事態を回避し得るテレビを提供することを主目的とする。
【課題を解決するための手段】
【０００５】
上記目的を達成すべく本発明に係るテレビは、ミュート解除処理時においてミュート音
量から出力音量を上昇させる制御部を備え、前記制御部は、ミュート状態に移行する直前
の第１の音量が予め設定された第２の音量以上のときに、前記ミュート解除処理時におい
て、当該第１の音量よりも低音量であって予め設定された第３の音量まで前記出力音量を
上昇させる。なお、本発明における「ミュート音量」は、無音状態（消音状態）に限定さ
れず、電話の着信音や来客の有無を確認し得る程度の十分に低い音量が含まれる。
【０００６】
このテレビによれば、ミュート状態に移行する直前の第１の音量が予め規定された第２
の音量以上のときに、ミュート解除処理時において、第１の音量よりも低音量であって第
３の音量まで出力音量を上昇させることにより、ミュート状態に移行する直前の出力音量
が大音量だったとしてもミュート状態の解除時においてその出力音量で音声の出力が再開
される構成とは異なり、ミュート状態に移行する直前の出力音量が大きいときには、その
大きな出力音量よりも小さい出力音量で音声の出力が開始されるため、意図しない大音量
で音声の出力が再開される事態を回避することができる。
【０００７】
また、本発明に係るテレビは、前記第３の音量が前記第２の音量よりも低音量に設定さ
れている。
【０００８】
このテレビによれば、第３の音量を第２の音量よりも低音量に設定したことにより、ミ
ュート状態に移行する直前の出力音量が大きいときには、予め規定されたある程度小さな
出力音量（第３の音量）で音声の出力が開始されるため、意図しない大音量で音声の出力
が再開される事態を回避することができる。
【０００９】
さらに、本発明に係るテレビは、前記ミュート解除処理時において、前記制御部が、前
記出力音量を前記第３の音量まで上昇させた後に、当該出力音量を前記第１の音量まで徐
々に上昇させる。
【００１０】
このテレビによれば、ミュート解除処理時において、出力音量を第３の音量まで上昇さ
せた後に、出力音量を第１の音量まで徐々に上昇させることにより、ミュート状態の解除
直後において大音量での音声が出力される事態を回避しつつ、その後に遠隔操作装置等を
操作することなく、ミュート状態に移行する直前の出力音量に自動的に復帰させることが
できる。
【００１１】
また、本発明に係るテレビは、前記出力音量を上昇または低下させる旨の遠隔操作装置
からの信号を受信したときに、前記ミュート解除処理時において、前記制御部が、前記第
３の音量を経由させずに前記出力音量を前記第１の音量まで上昇させる。
【００１２】
このテレビによれば、出力音量を上昇または低下させる旨の遠隔操作装置からの信号を
受信したときに、第３の音量を経由させずに出力音量を第１の音量まで上昇させることに
より、本体部から遠く離れた位置において遠隔操作装置を操作してミュート状態を解除す
るときには、ミュート状態に移行する直前の出力音量で音声の出力を開始すると共に、例
えば、本体部に近い位置において本体部の操作部を操作してミュート状態を解除するとき
には、ミュート状態に移行する直前の大音量で音声の出力を開始させることなく、ある程
度小さな出力音量で音声の出力を再開することができる。
【発明を実施するための最良の形態】
【００１３】
以下、本発明に係るテレビの最良の形態について、添付図面を参照して説明する。図１
に示すテレビ１は、テレビ映像等の表示および映像に対応する音声の出力が可能に構成さ
れたリアプロジェクション型のテレビであって、本体部２とテレビ１専用のリモコン３と
を備えている。この場合、リモコン３は、本発明における遠隔操作装置の一例であって、
図２に示すように、電源キー４１、チャンネルアップキー４２ａ、チャンネルダウンキー
４２ｂ、ボリュームアップキー４３ａ、ボリュームダウンキー４３ｂ、消音キー４４およ
びメニューキー４５などの各種操作キーが配列されて構成されている。また、リモコン３
は、上記の各種キーのキー操作に対応して操作内容を特定可能な赤外線信号Ｓｉを出力す
る。
【００１４】
一方、図１に示すように、テレビ１の本体部２は、選局処理部１１、プリセットデータ
記憶部１２、チューナ１３、映像音声処理部１４、音声信号出力部１５、スピーカ１６、
映像信号出力部１７、表示部１８、音量データ記憶部１９、制御部２０、操作部２１、受
光部２２およびキー入力処理部２３を備えている。選局処理部１１は、制御部２０の制御
に従ってチューナ１３を制御することにより、指定されたチャンネルを受信させて放送信
号Ｓｂを出力させる。プリセットデータ記憶部１２は、電源遮断時に表示しているチャン
ネルについてのチャンネル情報（次回の電源投入時に表示すべきチャンネルについての情
報）などを記憶する。チューナ１３は、選局処理部１１の制御に従い、指定されたチャン
ネルの放送信号Ｓｂを映像音声処理部１４に出力する。映像音声処理部１４は、一例とし
てＩＦ回路、音声検波回路、映像検波回路およびＡ／Ｄ変換部（いずれも図示せず）など
を備え、チューナ１３から出力された放送信号Ｓｂに基づく音声信号Ｓｓ１および映像信
号Ｓｐ１を音声信号出力部１５および映像信号出力部１７に出力する。
【００１５】
音声信号出力部１５は、映像音声処理部１４から出力された音声信号Ｓｓ１を制御部２
０の制御に従って増幅して音声信号Ｓｓ２としてスピーカ１６に出力する。スピーカ１６
は、音声信号出力部１５から出力された音声信号Ｓｓ２の信号レベルに応じた出力音量で
音声信号Ｓｓ２に対応する音声を出力する。なお、本明細書における「音声」には、人の
声のみならず、鳥の鳴き声、風の音および音楽等の各種の「音」が含まれる。映像信号出
力部１７は、映像音声処理部１４から出力された映像信号Ｓｐ１に対する映像処理を実行
して表示用の映像信号Ｓｐ２を生成して表示部１８に出力する。表示部１８は、光学エン
ジンおよびスクリーンパネル等（図示せず）を備え、映像信号出力部１７から出力された
映像信号Ｓｐ２に基づく各種画像を表示する。具体的には、表示部１８は、出力された映
像信号Ｓｐ２に基づいて光変調した投射光をスクリーンパネルに背面側から投射すること
で各種画像をスクリーンパネルに表示する。この場合、上記の光学エンジンは、例えば、
光源と、光変調素子（一例として、デジタルマイクロミラーデバイスや液晶ライトバルブ
）と、投射レンズ（いずれも図示せず）とを備えて構成されている。
【００１６】
音量データ記憶部１９は、音量データＤｖを記憶する。この場合、音量データＤｖは、
後述するキー入力処理５０においてスピーカ１６からの音声の出力を消音状態（本発明に
おけるミュート状態の一例）に設定する際に（音声をミュートする際：ミュート状態に移
行する際）、その直前においてスピーカ１６から出力されている音声の出力音量を特定可
能に制御部２０によって生成される。制御部２０は、テレビ１を総括的に制御する。具体
的には、制御部２０は、リモコン３や操作部２１の各キー操作に応じてキー入力処理部２
３から出力される制御信号Ｓｃに従い、後述するように、図３に示すキー入力処理５０を
実行する。また、制御部２０は、選局処理部１１を制御して指定されたチャンネルを受信
させると共に、映像音声処理部１４を制御して音声信号Ｓｓ１および映像信号Ｓｐ１を生
成させる処理を実行する。
【００１７】
操作部２１は、図２に示すように、電源キー３１、チャンネルアップキー３２ａ、チャ
ンネルダウンキー３２ｂ、ボリュームアップキー３３ａ、ボリュームダウンキー３３ｂお
よび消音キー３４を備え、これらの操作に対応する操作信号Ｓｏをキー入力処理部２３に
出力する。受光部２２は、上記のリモコン３から出力される赤外線信号Ｓｉを受信して操
作信号Ｓｏに変換してキー入力処理部２３に出力する。キー入力処理部２３は、操作部２
１および受光部２２から出力された操作信号Ｓｏに基づいて制御信号Ｓｃを生成し、生成
した制御信号Ｓｃを制御部２０に出力する。
【００１８】
次に、テレビ１の全体的な動作について、図面を参照して説明する。このテレビ１では
、リモコン３または操作部２１の電源キー３１，４１が操作された際に、チューナ１３が
選局処理部１１の制御に従って直前の電源遮断時に選局されていたチャンネル（プリセッ
トデータ記憶部１２に記憶されているチャンネル情報に対応するチャンネル）を受信して
映像音声処理部１４に放送信号Ｓｂを出力する。これに応じて、映像音声処理部１４が、
放送信号Ｓｂに基づく音声信号Ｓｓ１を音声信号出力部１５に出力すると共に映像信号Ｓ
ｐ１を映像信号出力部１７に出力する。この際に、音声信号出力部１５は、制御部２０の
制御に従い、映像音声処理部１４から出力された音声信号Ｓｓ１を所定の出力音量となる
ように増幅して音声信号Ｓｓ２としてスピーカ１６に出力する。また、映像信号出力部１
７は、映像音声処理部１４から出力された映像信号Ｓｐ１に基づいて表示用の映像信号Ｓ
ｐ２を生成して表示部１８に出力する。これにより、図２に示すように、テレビ映像Ｐｔ
が表示部１８のスクリーンパネルに表示されると共に、テレビ映像Ｐｔに対応する音声が
所定の出力音量でスピーカ１６から出力される。
【００１９】
この際に、例えば電話の着信などに応じて音声の出力を一時的に停止させるときには、
一例として、リモコン３の消音キー４４を操作する。これに応じて、リモコン３から消音
キー４４の操作に応じた赤外線信号Ｓｉが出力されると共に、この赤外線信号Ｓｉを受信
した受光部２２から操作信号Ｓｏがキー入力処理部２３に出力され、キー入力処理部２３
から制御信号Ｓｃが制御部２０に出力される。一方、制御信号Ｓｃを受信した制御部２０
は、図３に示すキー入力処理５０を開始する。
【００２０】
このキー入力処理５０では、制御部２０は、まず、キー入力処理部２３から出力された
制御信号Ｓｃに基づき、操作されたキーが消音キー３４，４４のいずれかのキーか、それ
以外のキーであるかを判別する（ステップ５１）。この際には、消音キー４４が操作され
たと判別し、テレビ１が消音状態（ミュート状態）であるか否かを判別する（ステップ５
２）。次いで、制御部２０は、消音状態ではないと判別し、消音キー４４の操作時点にお
ける出力音量（本発明における「ミュート状態に移行する直前の第１の音量」の一例）の
値（一例として、４０段階の音量のうちの２５段階目）を音量データＤｖとして音量デー
タ記憶部１９に記憶させる。続いて、音声信号出力部１５に制御信号Ｓｄを出力すること
によってスピーカ１６からの音声の出力を停止させて（音声の出力状態を消音状態に設定
：本発明における「ミュート状態」への移行：ステップ５３）、このキー入力処理５０を
終了する。これにより、音声信号出力部１５からの音声信号Ｓｓ２の信号の出力が停止さ
れてスピーカ１６からの音声の出力が停止する（消音状態となる）。この場合、音声出力
の停止（ミュート状態への移行）については、リモコン３の消音キー４４のみならず、操
作部２１の消音キー３４を操作した際にも、制御部２０によって上記の一例の処理と同じ
処理が実行される。
【００２１】
一方、通話が完了して音声の出力を再開する際には、一例として、リモコン３の消音キ
ー４４を再び操作する。これに応じて、キー入力処理部２３から出力された制御信号Ｓｃ
を受信した制御部２０がキー入力処理５０を開始する。この際に、制御部２０は、操作さ
れたキーが消音キー４４であり（ステップ５１）、テレビ１が消音状態（ミュート状態）
であると判別する（ステップ５２）。次いで、制御部２０は、音量データ記憶部１９から
音量データＤｖを読み出して、消音状態に設定する以前の出力音量（この例は、２５段階
目）でスピーカ１６から音声を出力させるように音声信号出力部１５に対して制御信号Ｓ
ｄを出力し（消音状態の解除：本発明におけるミュート解除処理：ステップ５４）、この
キー入力処理５０を終了する。これにより、音声信号出力部１５からの音声信号Ｓｓ２の
出力が再開されてスピーカ１６から２５段階目の音量（消音状態に設定される以前と同じ
出力音量）で音声が出力される。この場合、音声出力の再開（消音状態の解除）について
は、リモコン３の消音キー４４のみならず、操作部２１の消音キー３４を操作した際にも
、制御部２０によって上記の一例の処理と同じ処理が実行される。
【００２２】
また、このテレビ１では、音声出力を再開する際に、上記のような消音キー３４，４４
の操作のみならず、リモコン３のボリュームアップキー４３ａおよびボリュームダウンキ
ー４３ｂのいずれかを操作することで消音状態を解除することもできる。具体的には、リ
モコン３のボリュームアップキー４３ａおよびボリュームダウンキー４３ｂのいずれかを
操作した際に、キー入力処理部２３から出力された制御信号Ｓｃを受信した制御部２０が
（本発明における「出力音量を上昇または低下させる旨の遠隔操作装置からの信号を受信
したとき」の一例）、キー入力処理５０を開始する。この際に、制御部２０は、操作され
たキーが消音キー３４，４４ではなく（ステップ５１）、リモコン３の音量調整キーが操
作されたと判別する（ステップ５５）。
【００２３】
次いで、制御部２０は、テレビ１が消音状態（ミュート状態）であるか否かを判別し（
ステップ５６）、消音状態でないときには、操作されたキーに応じて出力音量を調整して
（出力音量を１段階低下または上昇させて：ステップ５７）このキー入力処理５０を終了
する。一方、テレビ１が消音状態（ミュート状態）のときには（ステップ５６）、音量デ
ータ記憶部１９から読み出した音量データＤｖに基づき、消音状態に設定する以前の出力
音量（この例は、２５段階目）でスピーカ１６から音声を出力させるように音声信号出力
部１５に対して制御信号Ｓｄを出力し（消音状態の解除：ステップ５４）、このキー入力
処理５０を終了する。これにより、音声信号出力部１５からの音声信号Ｓｓ２の出力が再
開され、後述するようにして本発明における第３の音量を経由することなく直接的に２５
段階目の音量（消音状態に設定される以前と同じ出力音量）でスピーカ１６から音声が出
力される。
【００２４】
一方、消音キー３４，４４の操作によって消音状態に設定されているときに、本体部２
の操作部２１におけるボリュームアップキー３３ａやボリュームダウンキー３３ｂが操作
されたときには、制御部２０は、消音状態に設定した際の出力音量（音量データ記憶部１
９に記憶させた音量データＤｖに対応する出力音量）に応じて、以下のようにして消音状
態を解除する。まず、操作部２１のボリュームアップキー３３ａが操作されたときに、キ
ー入力処理部２３から出力された制御信号Ｓｃを受信した制御部２０がキー入力処理５０
を開始する。この際に、制御部２０は、操作されたキーが消音キー３４，４４や、リモコ
ン３の音量調整キー（ボリュームアップキー４３ａおよびボリュームダウンキー４３ｂ）
ではないと判別し（ステップ５１，５５）、操作部２１の音量調整キー（この例では、ボ
リュームアップキー３３ａ）が操作されたと判別する（ステップ５８）。
【００２５】
次いで、制御部２０は、テレビ１が消音状態（ミュート状態）であるか否かを判別し（
ステップ５９）、消音状態でないときには、操作されたキーに応じて出力音量を調整して
（出力音量を１段階低下または上昇させて：ステップ５７）このキー入力処理５０を終了
する。一方、テレビ１が消音状態（ミュート状態）のときには（ステップ５９）、音量デ
ータ記憶部１９から読み出した音量データＤｖに基づき、消音状態に設定する以前の出力
音量が、予め規定された所定の出力音量（一例として、４０段階の音量のうちの１５段階
目：本発明における第２の音量の一例）以上であるか否かを判別する（ステップ６０）。
【００２６】
この際に、消音状態に設定する以前の出力音量が例えば４０段階のうちの１０段階目の
音量のとき（消音状態に設定する以前の出力音量が所定音量未満のとき）には、制御部２
０は、１０段階目の音量でスピーカ１６から音声を出力させるように音声信号出力部１５
に対して制御信号Ｓｄを出力し（消音状態の解除：ステップ５４）、このキー入力処理５
０を終了する。これにより、音声信号出力部１５からの音声信号Ｓｓ２の出力が再開され
てスピーカ１６から１０段階目の音量（消音状態に設定される以前と同じ出力音量）で音
声が出力される。なお、上記の所定の出力音量（この例では、１５段階目の音量）につい
ては、図示しない動作条件設定画面を表示させて数値入力することにより、任意に設定（
変更）することができる。
【００２７】
一方、消音状態に設定する以前の出力音量が例えば４０段階のうちの２５段階目の音量
のとき（消音状態に設定する以前の出力音量が所定の出力音量よりも大きいとき）には（
ステップ６０）、制御部２０は、消音状態の解除時に音声の出力を再開する際の出力音量
を予め規定された再開音量（一例として、４０段階のうちの２０段階目：本発明における
第３の音量の一例）に変更した後に（ステップ６１）、変更した２０段階目の音量でスピ
ーカ１６から音声を出力させるように音声信号出力部１５に対して制御信号Ｓｄを出力す
る（消音状態の解除：本発明におけるミュート解除処理：ステップ６２）。これにより、
音声信号出力部１５からの音声信号Ｓｓ２の出力が再開されてスピーカ１６から２０段階
目の音量（消音状態に設定される以前と同じ出力音量）で音声が出力される。
【００２８】
続いて、制御部２０は、２０段階目の音量での音声出力を再開した後に所定時間（一例
として、５秒）が経過した時点において、音声信号出力部１５に制御信号Ｓｄを出力する
ことにより、一例として、１秒につき１段階のペースで２５段階目の音量（消音状態に設
定する以前の出力音量）まで出力音量を徐々に上昇させる音量復帰処理を実行し（本発明
における第３の音量を経由した後に第１の音量まで上昇させる方法の一例：ステップ６３
）、このキー入力処理５０を終了する。なお、上記の再開音量（この例では、２０段階目
の音量）については、図示しない動作条件設定画面を表示させて数値入力することにより
、任意に設定（変更）することができる。
【００２９】
また、このテレビ１では、消音状態に設定されている場合、操作部２１におけるチャン
ネルアップキー３２ａまたはチャンネルダウンキー３２ｂが操作されたときと、リモコン
３におけるチャンネルアップキー４２ａまたはチャンネルダウンキー４２ｂが操作された
ときとで、以下のように、チャンネル変更時の制御が相違する。
【００３０】
具体的には、消音状態において操作部２１におけるチャンネルアップキー３２ａまたは
チャンネルダウンキー３２ｂが操作されたときには、制御部２０は、操作されたキーが、
消音キー３４，４４、ボリュームアップキー４３ａ、ボリュームダウンキー４３ｂ、ボリ
ュームアップキー３３ａ、ボリュームダウンキー３３ｂのいずれでもなく、例えば、チャ
ンネルアップキー３２ａが操作されたと判別する（ステップ５１，５５，５８）。この際
には、選局処理部１１を制御して、１つ上のチャンネルをチューナ１３に受信させると共
に、上記のステップ６１以降の処理と同様の処理を実行する（ステップ６４）。
【００３１】
この際に、例えば、消音状態に設定する以前の出力音量が例えば４０段階のうちの２５
段階目の音量のとき（消音状態に設定する以前の出力音量が所定の出力音量よりも大きい
とき）には（ステップ６０）、制御部２０は、消音状態の解除時に音声の出力を再開する
際の音量を２０段階目に変更した後に、変更した２０段階目の音量でスピーカ１６から音
声を出力させるように音声信号出力部１５を制御する。これにより、スピーカ１６から２
０段階目の音量で新たなチャンネルの音声が出力される。次いで、制御部２０は、音声の
出力を再開した後に所定時間が経過した時点において、音声信号出力部１５を制御して２
５段階目の音量（消音状態に設定する以前の出力音量）まで出力音量を徐々に上昇させ、
このキー入力処理５０を終了する。
【００３２】
一方、消音状態においてリモコン３におけるチャンネルアップキー４２ａまたはチャン
ネルダウンキー４２ｂが操作されたときには、制御部２０は、操作されたキーが、消音キ
ー３４，４４、ボリュームアップキー４３ａ、ボリュームダウンキー４３ｂ、ボリューム
アップキー３３ａ、ボリュームダウンキー３３ｂのいずれでもなく、例えば、チャンネル
アップキー４２ａが操作されたと判別する（ステップ５１，５５，５８）。この際には、
選局処理部１１を制御して、１つ上のチャンネルをチューナ１３に受信させると共に、音
量データ記憶部１９から読み出した音量データＤｖに基づき、消音状態に設定する以前の
出力音量（この例は、２５段階目）でスピーカ１６から音声を出力させるように音声信号
出力部１５に対して制御信号Ｓｄを出力し（ステップ６４）、このキー入力処理５０を終
了する。これにより、音声信号出力部１５からの音声信号Ｓｓ２の出力が再開されてスピ
ーカ１６から２５段階目の音量（消音状態に設定される以前と同じ出力音量）で新たなチ
ャンネルの音声が出力される。
【００３３】
このように、このテレビ１によれば、ミュート状態に移行する直前の第１の音量（一例
として、４０段階のうちの２５段階目の音量）が第２の音量（一例として、１５段階目の
音量）以上のときに、ミュート解除処理時において、第１の音量よりも低音量であって第
３の音量（一例として、２０段階目の音量）まで音量を上昇させることにより、ミュート
状態に移行する直前の出力音量が大音量だったとしてもミュート状態の解除時においてそ
の出力音量で音声の出力が再開される構成とは異なり、ミュート状態に移行する直前の出
力音量が大きいときには、その大きな出力音量よりも小さい出力音量で音声の出力が開始
されるため、意図しない大音量で音声の出力が再開される事態を回避することができる。
【００３４】
また、このテレビ１によれば、本発明における第３の音量を本発明における第２の音量
よりも低音量に設定したことにより、ミュート状態に移行する直前の出力音量が大きいと
きには、予め規定されたある程度小さな出力音量（第３の音量）で音声の出力が開始され
るため、意図しない大音量で音声の出力が再開される事態を回避することができる。
【００３５】
さらに、このテレビ１によれば、ミュート解除処理時において、出力音量を第３の音量
まで上昇させた後に、出力音量を第１の音量まで徐々に上昇させることにより、ミュート
状態の解除直後において大音量での音声が出力される事態を回避しつつ、その後にリモコ
ン３や操作部２１を操作することなく、ミュート状態に移行する直前の出力音量に自動的
に復帰させることができる。
【００３６】
また、このテレビ１によれば、出力音量を上昇または低下させる旨のリモコン３等から
の赤外線信号Ｓｉ（制御信号Ｓｃ）を受信したときに、第３の音量を経由させずに出力音
量を第１の音量まで上昇させることにより、テレビ１の本体部２（スピーカ１６）から遠
く離れた位置においてリモコン３等を操作してミュート状態を解除するときには、ミュー
ト状態に移行する直前の出力音量で音声の出力を開始すると共に、例えば、本体部２（ス
ピーカ１６）に近い位置において操作部２１を操作してミュート状態を解除するときには
、ミュート状態に移行する直前の大音量で音声の出力を開始させることなく、ある程度小
さな出力音量で音声の出力を再開することができる。
【００３７】
なお、本発明は、上記の構成に限定されない。例えば、リアプロジェクション型のテレ
ビについて上記したが、液晶表示器、プラズマ表示器および有機ＥＬ表示器等の各種表示
器を備えたテレビに本発明を適用することができる。この場合、本発明におけるテレビと
しては、表示器とチューナとが別体に構成された各種テレビが含まれる。また、モニター
（チューナを備えていない表示装置）に本発明を適用することもできる。
【図面の簡単な説明】
【００３８】
【図１】テレビ１の構成を示すブロック図である。
【図２】テレビ１およびリモコン３の正面図である。
【図３】キー入力処理５０のフローチャートである。
【符号の説明】
【００３９】
１  テレビ、２  本体部、３  リモコン、１５  音声信号出力部、１６  スピーカ，１
９  音量データ記憶部、２０  制御部、２１  操作部、２２  受光部、２３  キー入力処
理部、３３ａ，４３ａ  ボリュームアップキー、３３ｂ，４３ｂ  ボリュームダウンキー
、３４，４４  消音キー、５０  キー入力処理、Ｄｖ  音量データ、Ｓｃ，Ｓｄ  制御信
号、Ｓｉ  赤外線信号、Ｓｏ  操作信号
【図１】
2007259037.tif 000003
【図２】
2007259037.tif 000004
【図３】
2007259037.tif 000005